(57)【特許請求の範囲】
【請求項１】
化粧料を収納する化粧料収納部と、塗布部材とその塗布部材を支持する柄部から成る塗布部と、該塗布部を着脱可能に嵌めるキャップとから成る抗菌性化粧料塗布具において、
前記化粧料収納部と塗布部との間に該化粧料収納部に隣接して貯留部が、前記塗布部に隣接して漏出防止部が設けられ、
該漏出防止部は化粧料の漏出を防止し、
該貯留部は銀系抗菌剤を含有するその内面と、前記化粧料収納部側に化粧料の流出する孔と、その孔の上方に化粧料の逆流を防止する逆止弁とから形成されていることを特徴とする抗菌性化粧料塗布具。
【請求項２】
前記銀系抗菌剤が銀含有可溶性ガラス又は銀ゼオライトであることを特徴とする請求項１に記載の抗菌性化粧料塗布具。
【請求項３】
前記貯留部の内面が、粗面状であることを特徴とする請求項２に記載の抗菌性化粧料塗布具。
【請求項４】
前記漏出防止部が円錐形状の弾性部材と、その弾性部材を固定支持する固定支持部材と、その固定支持部材の上方先端部に固定された前記柄部が摺動可能な孔を有する円盤状部材と、押下された弾性部材を支持すると共に化粧料を通過させる孔を有する支持部材とから構成され、前記塗布部が前記キャップで嵌合されることにより前記弾性部材を押下し、前記押下された弾性部材が前記支持部材に当接することにより前記孔を閉鎖することを特徴とする請求項１乃至３の何れか一項に記載の抗菌性化粧料塗布具。
【請求項５】
前記漏出防止部の弾性部材が前記塗布部の柄部に形成された孔を閉鎖し、前記貯留部の逆止弁がその下端部の孔を閉鎖し、これらの閉鎖が連動することを特徴とする請求項１乃至４の何れか一項に記載の抗菌性化粧料塗布具。
【請求項６】
前記塗布部の材料がブラシ、クッション材、櫛状成型体、ヘラ状成型体又は突起状成型体であることを特徴とする請求項１乃至５の何れか一項に記載の抗菌性化粧料塗布具。
【請求項７】
前記化粧料収納部を加圧することにより前記塗布部に前記化粧料を供給することを特徴とする請求項１乃至６の何れか一項に記載の抗菌性化粧料塗布具。
【請求項８】
前記キャップの胴体部の上端部に鏡を設けたことを特徴とする請求項１乃至７の何れか一項に記載の抗菌性化粧料塗布具。
【請求項９】
前記化粧料が液状、粉末状又はクリーム状化粧料であることを特徴とする請求項１乃至８の何れか一項に記載の抗菌性化粧料塗布具。
【発明の詳細な説明】
【技術分野】
【０００１】
本発明は、化粧粉末を水等に溶かした流動性を有する液状化粧料、又は、流動性を有する粉末状化粧料を収納する化粧料収納部と、塗布部材とその塗布部材を支持する柄部から成る塗布部と、該塗布部を着脱可能に覆うキャップとから成る化粧料塗布具に関するものであって、詳細には、皮膚との接触により雑菌汚染された化粧料に対して抗菌性能を備えると共に漏出防止機能をも備える抗菌性化粧料塗布具に関する。
【背景技術】
【０００２】
従来、化粧料の収納部と塗布部が一体化された化粧料塗布具としては、内容物を供出しやすく改良した塗布具や、携行性の観点からコンパクト化を目指した技術が種々提案されている。
【０００３】
一体型塗布具の場合、収納時には、塗布部にキャップを嵌めることで外部と遮断して内容物の漏出を防止し、使用時においてはキャップを外す構造の塗布具が種々提案されている。
【０００４】
かかるタイプの塗布具として、例えば、欧州特許第1485302号公報（特許文献１）には、内蔵した蛇腹型弾性部材のバネ機構を利用して、使用時には塗布部を突出せしめると共に内容物を区画シールして他への漏洩を防止し、収納時には塗布部を押し込み、かつ内容物の流出をワンタッチで遮断できるようにした構造の塗布具が開示されている。
【０００５】
他の一体型塗布具の例として米国特許第6659109号明細書（特許文献２）には、粉末化粧料をボトル型容器内に内蔵し、スポンジ状塗布体に直結した塗布用具が開示されている。
【０００６】
また、他の一体型化粧料塗布具の例として、実開昭63-136513号公報（特許文献３）において、化粧料を内蔵する加圧式化粧料塗布用ブラシについて提案されている。
【０００７】
一方、抗菌性に関する市場ニーズに応えるために、皮膚に直接接触する塗布部を化学的、あるいは物理的手段で抗菌処理する技術が特開平07-236517号公報（特許文献４）、特開平09-023925号公報（特許文献５）等で開示されている。
【０００８】
上記のこれらの一体型化粧料塗布具においては、化粧料を塗布した際、皮膚との接触により雑菌汚染された化粧料が塗布部を介して化粧料収納部にまで汚染が広がることにより、収納部内の化粧料が汚染される恐れがある。
【０００９】
化粧料に抗菌性を付与しようとする場合、代表的な方法としては化粧料に直接抗菌剤を配合する方法があるが、皮膚への刺激性、人体への安全性の観点から使用できる薬剤や使用量が限定されており、また、抗菌剤と化粧料との反応に起因する変質や変色が生じる恐れがある。
【００１０】
【特許文献１】欧州特許第1485302号公報
【特許文献２】米国特許第6659109号明細書
【特許文献３】実開昭63-136513号公報
【特許文献４】特開平07-236517号公報
【特許文献５】特開平09-023925号公報
【発明の開示】
【発明が解決しようとする課題】
【００１１】
従来の前記化粧用塗布具は、使用が簡便ではあるが、抗菌機能を抜本的に解決したものではなく、近年の市場における高度の抗菌性を求める消費者ニーズに対応できるものではない。
【００１２】
本発明は、塗布具の収納時や輸送時において収納された内部の化粧料が外部に漏出することがない機能を備えると共に、化粧料に抗菌剤を直接配合することなく、皮膚との接触により雑菌汚染された化粧料が、塗布と保管を反復して使用しても、収納された内部の化粧料に汚染が広がることなく、長期的に無菌状態で保管できる抗菌性化粧料塗布具を提供することを課題とする。
【課題を解決するための手段】
【００１３】
前記課題を解決するために、請求項１に係る発明の抗菌性化粧料塗布具は、化粧料を収納する化粧料収納部と、塗布部材とその塗布部材を支持する柄部から成る塗布部と、該塗布部を着脱可能に嵌めるキャップとから成る抗菌性化粧料塗布具において、前記化粧料収納部と塗布部との間に該化粧料収納部に隣接して貯留部が、前記塗布部に隣接して漏出防止部が設けられ、該漏出防止部は化粧料の漏出を防止し、
該貯留部は銀系抗菌剤を含有するその内面と、前記化粧料収納部側に化粧料の流出する孔と、その孔の上方に化粧料の逆流を防止する逆止弁とから形成されていることを特徴とする。
同様に、請求項２に係る発明の抗菌性化粧料塗布具は、前記銀系抗菌剤が銀含有可溶性ガラス又は銀ゼオライトであることを特徴とする。
請求項３に係る発明の抗菌性化粧料塗布具は、前記貯留部の内面が、粗面状であることを特徴とする。
請求項４に係る発明の抗菌性化粧料塗布具は、前記漏出防止部が弾性部材を含み、前記塗布部が前記キャップで嵌合されることにより前記弾性部材を押下し、前記弾性部材の弾性力により漏出防止部に形成された孔を閉鎖することを特徴とする。
請求項５に係る発明の抗菌性化粧料塗布具は、前記漏出防止部の弾性部材が前記塗布部の柄部に形成された孔を閉鎖した後に、前記貯留部の逆止弁がその下端部の孔を閉鎖することを特徴とする。
請求項６に係る発明の抗菌性化粧料塗布具は、前記塗布部の材料がブラシ、クッション材、櫛状成型体、ヘラ状成型体又は突起状成型体であることを特徴とする。
請求項７に係る発明の抗菌性化粧料塗布具は、前記化粧料収納部を加圧することにより前記塗布部に前記化粧料を供給することを特徴とする。
請求項８に係る発明の抗菌性化粧料塗布具は、前記キャップの胴体部の上端部に鏡を設けたことを特徴とする。
請求項９に係る発明の抗菌性化粧料塗布具は、前記化粧料が液状、粉末状又はクリーム状化粧料であることを特徴とする。
【発明の効果】
【００１４】
本発明の抗菌性化粧料塗布具は、化粧料収納部と塗布部との間に漏出防止部及び貯留部が設けられることにより、該漏出防止部が化粧料の漏出を防止し、該貯留部が化粧料の逆流を防止すると共に雑菌汚染された化粧料を抗菌する機能を奏することにより、皮膚に接触して雑菌汚染した化粧料は、逆止弁で阻止されてその奥の収納部に貯蔵された未使用の化粧料に雑菌汚染が広がるのを完全に阻止できる。
【００１５】
そして、前記貯留部の内壁は、銀系抗菌剤を含有するプラスチックから構成されており、好ましくは該プラスチックの表面が機械的擦過処理などにより面膜が除去され粗面化しているので、化粧料が該内壁と接触すると、銀系抗菌剤により抗菌状態に保持するのに高い効果を奏する。
【００１６】
また、本発明の抗菌性化粧料塗布具では、収納される化粧料への抗菌剤の配合量を減少することができ、より好ましくは抗菌剤を不要にすることができ、また、本発明の塗布具自身の持つ殺菌性によって使用開始後に長期間が経過しても内容物の化粧料の抗菌性が保持され、かつ人体にも安全である。
【発明を実施するための最良の形態】
【００１７】
図１〜７に基づき本発明の最良の実施形態を以下に詳細に説明する。
図1に塗布部にキャップが嵌められた状態の、本発明の抗菌性化粧料塗布具の縦断面図を示す。
【００１８】
本発明の抗菌性化粧料塗布具Ａは、粘性の低い液状化粧料５０を収納する化粧料収納部１と、塗布部材であるブラシ２ａとそのブラシを支持する柄部２ｂ、２ｂ′から成る塗布部２と、該塗布部２を着脱可能に嵌めるキャップ３とから構成されている。
【００１９】
前記化粧料収納部１は、押圧により変形可能な弾力性のあるプラスチック等の材料で、その形状は底面から円柱状に延びながら途中で円錐状に変形しており、その先端部分は、外周面に螺旋溝が、その内面に円柱状面が、そして、その下端部には中央に円形状の孔を有する底面が形成されている。
【００２０】
前記塗布部２は、ブラシ２ａ、それを支持する底部が平板状の円錐柱形状の柄部２ｂ、その平板状底部の中心部分に設けられた円柱状突出柄部２ｂ′及びその柄部２ｂ、２ｂ′の縦の中心に液状化粧料の流出用の通路２ｃから構成されており、そして、ブラシ２ａの材質としてはレーヨン、ポリアミド、アクリル、ポリエステル、ポリオレフィン、獣毛等が適している。前記円柱状突出柄部２ｂ′は、後述するように、漏出防止部材４の円盤状部材４ｃに設けられた摺動可能な孔から、該円柱状突出柄部２ｂ′が飛び出さないようにその底部に延出した脚部が設けられている。
なお、塗布部２の材料である塗布部材としてブラシ２ａの例を以下に説明するが、塗布部材としてブラシ２ａ以外に、クッション材、櫛状成型体、ヘラ状成型体又は突起状成型体等が利用できる。    
【００２１】
前記キャップ３は、剛性のあるプラスチック等の材料で、その形状は円錐柱形状の胴体部３ａを有し、その上端部の平面には鏡３ｃを装着してもよい。化粧料を塗布する際に、その鏡３ｃを用いて化粧することができる。そして、その胴体部３ａの下方の内周面には螺旋溝が形成されており、その上方には中心方向に凸状の突起３ｂが形成されている。
【００２２】
前記漏出防止部４は、無負荷時には図２に示すように円錐形状の合成樹脂製の弾性部材４ｂと、その部材を固定支持する固定支持部材４ａと、その固定支持部材４ａの上方先端部に固定された、前記円柱状突出柄部２ｂ′が摺動可能な孔を有する円盤状部材４ｃと、押下された弾性部材４ｂを支持すると共に液状化粧料を通過させる孔を有する支持部材４ｄとから構成されている。該固定支持部材４ａは、剛性のあるプラスチック等の材料から成る概略中空の円柱形状で、その外周面及び内周面には螺旋溝が形成されており、前記外周面の螺旋溝は前記キャップ３の螺旋溝と螺合し、前記内周面の螺旋溝は前記化粧料収納部１の螺旋溝と螺合され加熱圧着成形されている。
【００２３】
貯留部５は、プラスチック素材で前記化粧料収納部１の円柱状面に設けられた円筒部材５ａと、その下端部に設けられた逆止弁５ｂから構成されている。貯留部５の円筒部材５ａ内に滞留する液状化粧料５０の抗菌性を担保するために、該円筒部材５ａの内壁面を抗菌化しておく。抗菌化するには、壁材を形成するプラスチック素材に銀系抗菌剤を、耐久性の点から練り込みなどの手段で配合する。  
【００２４】
更に、壁材における銀系抗菌剤の露出度を高め抗菌機能を向上するように表面をブラッシング、バフ、ブラストのような擦過処理などによりプラスチック面膜を除去し、粗面化しておくことが好ましい。
【００２５】
抗菌剤として、銀系抗菌剤を使用する理由は、抗菌性と化学的安定性と皮膚を刺激しないなど人体への安全性の観点からである。該銀系抗菌剤としては銀ゼオライトなど銀を有する種々の抗菌性化合物を練り込み、混練などの方法で配合することができる。プラスチックへの練り込み性、抗菌効果、経時安定性、無着色性を考慮すると可溶性の銀イオン含有ガラスが好ましい。該ガラスは、銀イオンをソーダガラス、ホウ珪酸ガラスなどの基材に溶かした組成物であり好ましくは水分に対し溶解性を示す物質である。
【００２６】
また、前記の練りこみ法、混練法以外に、壁材内面に抗菌性化合物をコーティングすることもできる。該コーティング層の厚みは０．０１μｍ〜１００μｍ程度が好ましい。
【００２７】
前記逆止弁５ｂは、塗布作業時において、液状化粧料５０の化粧料収納部１を加圧する時には液状化粧料５０を先端の塗布部２方向へと通過せしめ、反対方向への逆流を防止せしめる機能を有するものであれば、どの様な形態のものでも良い。例えば、復元力を有するプラスチック素材で形成するのが好ましい。
他の例として、シリコーンゴムからなる栓体で、この栓体は円板状部と、この円板状部の中央位置からドーム状に外側に突出形成された弁部とからなり、この弁部の中央位置を中心として十字形にスリットが肉厚方向に穿設された逆止弁を用いることもできる。
【００２８】
図１に示すように、キャップ３と漏出防止部４の螺旋溝の螺合により、該キャップ３の突起３ｂが塗布部２の平板状底部と契合されて、前記円柱状突出柄部２ｂ′が前記弾性部材４ｂを押下することにより、化粧料流出用の通路２ｃと漏出防止部材４の支持部材４ｄの液状化粧料５０を通過させる孔とが完全に閉鎖されるので、液状化粧料５０が化粧料収納部１から漏出するのを防止している。
【００２９】
更に、貯留部５の逆止弁５ｂが前記化粧料収納部１の底面の孔を閉鎖しているので、貯留部５に滞留した化粧料がたとえ雑菌で汚染されていたとしても、前記化粧料収納部１の化粧料５０に汚染が広がることがなく、そして、前記貯留部の内面に含有する銀系抗菌剤で雑菌が駆除される。
【００３０】
図２に塗布部２からキャップ３が外された状態の本発明の抗菌性化粧料塗布具Ａの要部縦断面図を示す。
塗布部２からキャップ３が外されたことにより、漏出防止部４の弾性部材４ｂは、無負荷時の円錐形状に復帰する。そして、化粧料収納部１を加圧すると化粧料流出用の通路２ｃと漏出防止部材４の支持部材４ｄの液状化粧料５０を通過させる孔とが連通しているので、図２に示す矢印の方向に液状化粧料５０が流出する。
【００３１】
次に、図３は化粧料塗布具Ａの塗布部２にキャップ３が嵌められる途中の状態を示す。漏出防止部４の弾性部材４ｂが塗布部２の円柱状突出柄部２ｂ′で押下されると、該弾性部材４ｂの有する弾性力により、液状化粧料５０を通過させる孔を有する支持部材４ｄの方向に瞬時に移動してその孔を閉鎖する。その弾性部材４ｂの瞬時の移動により液状化粧料５０が急速に下方に移動させられるので、逆止弁５ｂが急速に下方に移動して前記化粧料収納部１の円形状の孔を閉鎖する。これらの閉鎖は連動して動作する。
【００３２】
この様に、前記弾性部材４ｂの瞬時の移動とほぼ同時期に、前記逆止弁５ｂも急速に下方に移動するので、皮膚の塗布により液状化粧料５０が雑菌で汚染されたとしても、その汚染された液状化粧料５０が完璧に化粧料収納部１と遮断されることが理解できるであろう。
【００３３】
化粧料５０を塗布部２に供給する方式として、図１〜３で説明したような化粧料収納部材１の側壁を加圧する方式と、他に図４に示すような、ノック部材７を操作することにより空気を化粧料収納部１内に送り込んで、化粧料収納部材内に摺動可能に配置されたピストン６（図には表示されていないと思われます）を移動させる方式と、図示されていないがピストン６の軸に螺旋が切ってあり、化粧料収納部材１の底部に設けられたノブを回転させることにより、化粧料収納部材１の低部を加圧する方式等が使用できる。
【００３４】
図５は本発明の第２の実施態様である粉末状化粧料５１に用いる抗菌性化粧料塗布具Ｂを示し、その塗布部２２にキャップ２３が嵌められた状態の縦断面図を示す。この実施態様は、流動性のある粉末状化粧料５１を塗布する場合に用いられるために、塗布部２２の構造が第１の実施態様と異なっている。
【００３５】
化粧料収納部２１は、ノック部材７等で空気を化粧料収納部２１内に送り込んでも変形しない、剛性のあるプラスチック等の材料で、その形状は円筒形状であり、図６に示すように、その頭部には外周面に螺旋溝を有する固定支持部材２４ａが嵌合され、その頭部の内側には円柱状部材２４ｄを固定支持する車軸状部材２４ｄ′が設けられている。
【００３６】
前記塗布部２２は、クッション機能を有するフォームラバー２２ａを薄い発泡シート２２ａ′で被覆して成るクッション部材２２と、その発泡シート２２ｂを支持して固着する円盤状の柄部２２ｂから構成されており、図５に示すように該柄部２２ｂとフォームラバー２２ａの中央部分に粉末状化粧料５１が流出する通路２２ｃが形成されている。前記柄部２２ｂは前記発泡シート２２ａ′の直径より長く、外周方向に僅かに突出部材が突出している。
【００３７】
図５に示すように前記キャップ２３の本体２３ａは、剛性のあるプラスチック材等の円筒形状で、その頭部には鏡を設置できる構造となっており、その下方内周には螺旋溝が切ってあり、その溝の上には前記柄部２２ｂの突出部材と契合する契合溝が形成されている。
【００３８】
図６に示すように漏出防止部２４は、前記伸縮可能な提灯型の合成樹脂製の弾性部材２４ｂと、その部材の下端を固定支持して、弾性部材２４ｂが圧縮された際にその弾性部材２４ｂを支える車軸状の部材と、その弾性部材２４ｂの上端を固定支持する中央に孔を有する円盤状部材２４ｃとから構成されている。なお、該円盤状部材２４ｃの中央部の下面で前記弾性部材２４ｂの上端を固定支持し、その部材２４ｃの外周部から円形状の棒状部材が突出しており、その棒状部材は、前記固定支持部材２４ａの摺動孔に嵌められ、上下方向に容易に動き、前記塗布部２２が傾斜しないように支持している。なお、前記合成樹脂製の弾性部材２４ｂの弾性回復を補助するための手段としてスプリングを設けてもよい。
【００３９】
貯留部２５は、その円筒部材２５ａが化粧料収納部２１の上方の下端部に配置されており、該円筒部材２５ａの下端部には逆止弁２５ｂが配置されている。なお、化粧料収納部２１の上端部の中央付近には、粉末状化粧料５１が流出する複数の孔（図示せず）が形成されている。
【００４０】
図６は前記塗布部２２からキャップ２３が取り除かれた状態の縦断面図を示す。図４に示した化粧料収納部材内に、塗布部２２方向に摺動可能に配置されたピストン２６を移動させる方式で、粉末状化粧料５１を塗出させる例が示されている。ピストン２６で押し出された粉末状化粧料５１は、逆止弁２５ｂを押し上げて円筒筒２５ａ、フォームラバー２２ａの通路２２ｃを通って上方へ流出するが、通路が閉鎖されているので、フォームラバー２２ａ中に拡散されて発泡シート２２ａ′の表面に均一に送出される。
【００４１】
この第２の実施形態の貯留部２５も第１の実施形態の貯留部５と同様に、貯留部の内面が銀系抗菌剤を含有するプラスチックとから形成されているので、そのことの説明は省略する。
【００４２】
次に、図５に示す化粧料塗布具Ｂの塗布部２２にキャップ２３が螺合して嵌められると、前記キャップ２３の契合溝が柄部２２ｂの突出部材と契合しながら押し下げられていく。その押下に伴って、漏出防止部２４の弾性部材２４ｂも押下されるので、該弾性部材24ｂの有する弾性力により、前記円盤状部材２４ｃが弾性部材４ｂと同時に前記円柱状部材２４ｄを固定支持する車軸状部材２４ｄ′に急速に当接して、該円盤状部材２４ｃの孔が円柱状部材２４ｄに填り込み、粉末状化粧料５１の流出通路が完全に閉鎖される。
【００４３】
そして、前記弾性部材２４ｂの瞬時の移動と同時に、前記逆止弁２５ｂも急速に下方に移動して化粧料収納部２１との孔を完全に閉鎖するので、前記貯留部２５は塗布部２２及び化粧料収納部２１から密閉される。従って、前記貯留部２５が皮膚の塗布により粉末状化粧料５１が雑菌で汚染されたとしても、その汚染された粉末状化粧料５１が完璧に化粧料収納部２１と遮断されることが理解できるであろう。
なお、化粧料として液状及び粉末状化粧料に基づき抗菌性化粧料塗布具を説明したが、粘性の高いクリーム状化粧料であっても良い。
【図面の簡単な説明】
【００４４】
【図１】本発明の抗菌性化粧料塗布具の塗布部にキャップが嵌められた状態の縦断面図である。
【図２】本発明の抗菌性化粧料塗布具の塗布部からキャップが外された状態の要部縦断面図である。
【図３】図３は化粧料塗布具Ａの塗布部２にキャップ３が嵌められる途中の状態を示す要部縦断面図である。
【図４】化粧料を塗布部に供給する方式を説明する概念図である。
【図５】本発明の第２実施態様である塗布部にキャップが嵌められた状態の縦断面図である。
【図６】本発明の第２実施態様の塗布部からキャップが取り除かれた状態の縦断面図である。
【符号の説明】
【００４５】
１  化粧料収納部
２  塗布部
３  キャップ
４  漏出防止部
５  貯留部
７  ノック部材
５０  液状化粧料
５１  粉末状化粧料
【図１】
0005315522.tif 000002
【図２】
0005315522.tif 000003
【図３】
0005315522.tif 000004
【図４】
0005315522.tif 000005
【図５】
0005315522.tif 000006
【図６】
0005315522.tif 000007